(57)【要約】【課題】好ましい装着感のもとで緩みや脱落を生じさせなく装着することができる耳介用支持部材およびイヤホンの提供。【解決手段】イヤホン１１には、スピーカユニット１２を内蔵させたハウジング２２と、該ハウジング２２に取り付けて耳介側からの脱落を阻止する耳介支持部材３２とを少なくとも具備させた。該耳介支持部材３２は、ハウジング２２側への取付けが自在に形成された取付け部３３と、該取付け部３３側から突設されて耳介内の対応位置への弾接を自在とした弾性支片部３８とで形成した。【選択図】図１
2006203420.tif 000002
【特許請求の範囲】
【請求項１】
スピーカユニットを内蔵させたハウジング側への取付けが自在に形成された取付け部と、該取付け部側から突設されて、耳介における外耳道側への前記ハウジングの装着時に対珠近傍に位置して耳甲介側と対輪側とを仕切る側壁面への弾接を自在とした弾性支片部とを少なくとも具備させたことを特徴とする耳介用支持部材。
【請求項２】
スピーカユニットを内蔵させたハウジングと、該ハウジング側に取り付けて耳甲介側からの脱落を阻止する請求項１記載の耳介支持部材とを少なくとも具備させたことを特徴とするインナーイヤホン。
【請求項３】
前記耳介支持部材は、その取付け部側から延設された支腕部を介して装着者の口元側に臨ませたマイクロホンを具備する請求項２に記載のインナーイヤホン。
【請求項４】
前記ハウジングには、筒状を呈してその放音面側に配設された外耳道挿入部と、該外耳道挿入部に取り付けて外耳道の内周面への弾性変形を伴った密接を自在に形成された外耳道密閉部材とを具備させた請求項２または３に記載のインナーイヤホン。
【発明の詳細な説明】
【技術分野】
【０００１】
本発明は、耳介用支持部材およびイヤホンに係り、さらに詳しくは、スピーカユニットを内蔵させたハウジングを耳介側に装着して使用する際に、該ハウジングが耳介側から容易には脱落しないようにした耳介用支持部材およびイヤホンに関する技術である。
【背景技術】
【０００２】
図１１は、特許文献１に開示されている密閉型のイヤホンの外観形状を示す斜視図である。
【特許文献１】特開２０００−３４１７８４号公報
【０００３】
該特許文献１中の図１によれば、イヤホン１は、スピーカユニットを収納してイヤホン本体を形成しているハウジング２と、該ハウジング２の前面側から突設されている円筒状の外耳道挿入部３と、該外耳道挿入部３の先端側に設けられた開口部４を囲むようにして取り付けられた外耳道密閉部材５と、ハウジング２からコード保持部６を介して外方に引き出されている接続コード７とを備えている。
【０００４】
また、外耳道密閉部材５は、外耳道挿入部３への取付け部５ａと、該取り付け部５ａの先端側から基端部側へと円弧状となって折り返された弾性接触片部５ｂとを備えて形成されている。
【０００５】
このため、特許文献１に開示されているイヤホン１によれば、これを耳介に装着した際には、外耳道密閉部材５における弾性接触片部５ｂが外耳道の内側面形状に沿うように弾性変形してその接触部位を密閉することになる。
【０００６】
したがって、イヤホン１は、これを装着した際に弾性接触片部５ｂにより密閉状態が確保されてことになり、外部からの音はその侵入を遮断することができ、内部の音は外漏れを防止することができるほか、低音域の再現性を優れたものとすることもできる。
【発明の開示】
【発明が解決しようとする課題】
【０００７】
ところで、図１１に示すイヤホン１を含む従来からあるインナータイプのイヤホンによる場合には、ハウジングが装着される外耳道の形状やサイズに個人差があることから、使用時における装着感も人により異なったものとなるほか、接続コードに触れただけで簡単に耳介側から脱落してしまう傾向がある。
【０００８】
この点に関しては、図１１に示すイヤホン１が外耳道密閉部材５を備えており、該外耳道密閉部材５における弾性接触片部５ｂを介して外耳道の形状に沿うように弾性変形させることができるので、外耳道の形状やサイズに個人差があっても、これに追随するように密着させることで、好ましい装着感を得たり、耳介側から脱落しずらくしたりすることはできる。
【０００９】
しかし、図１１に示す外耳道密閉部５における弾性接触片部５ｂは、弾性変形させることができるとはいえ、人によっては外耳道内において必ずしも十分な密着力を生成することができない場合もあり、このために装着時の密閉性を減退させる緩みを生じさせたり、外力を受けて耳介側から脱落したりするのを確実に阻止する上からは未だ十分なものとはいえない不都合があった。
【００１０】
本発明は、従来技術の上記課題に鑑み、好ましい装着感のもとで装着使用することができるばかりでなく、その装着時に緩みや脱落を生じさせなくすることもができる耳介用支持片およびイヤホンを提供することに目的がある。
【課題を解決するための手段】
【００１１】
本発明は、上記目的を達成すべくなされたものであり、そのうちの第１の発明（耳介用支持部材）は、スピーカユニットを内蔵させたハウジング側への取付けが自在に形成された取付け部と、該取付け部側から突設されて、耳介における外耳道側への前記ハウジングの装着時に対珠近傍に位置して耳甲介側と対輪側とを仕切る側壁面への弾接を自在とした弾性支片部とを少なくとも具備させたことを最も主要な特徴とする。
【００１２】
また、第２の発明（イヤホン）は、スピーカユニットを内蔵させたハウジングと、該ハウジング側に取り付けて耳甲介側からの脱落を阻止する第１の発明に係る耳介用支持部材とを少なくとも具備させたことを最も主要な特徴とする。
【００１３】
この場合、前記耳介支持部材は、その取付け部側から延設された支腕部を介して装着者の口元側に臨ませたマイクロホンを具備するものであってもよい。また、前記ハウジングには、筒状を呈してその放音面側に配設された外耳道挿入部と、該外耳道挿入部に取り付けて外耳道の内周面への弾性変形を伴った密接を自在に形成された外耳道密閉部材とを具備させることもできる。
【発明の効果】
【００１４】
本発明のうち、請求項１に係る発明によれば、耳介用支持部材は、スピーカユニットを内蔵させたハウジング側に取り付ける取付け部と、該取付け部側から突設されて、耳介における外耳道側への前記ハウジングの装着時に対珠近傍に位置して耳甲介側と対輪側とを仕切る側壁面と弾接する弾性支片部とを備えているので、該弾性支片部を介して耳介側に確実に支持させることができる。
【００１５】
請求項２に係る発明によれば、イヤホンは、請求項１に係る耳介用支持部材を備えているので、外耳道側にハウジングを位置させて装着した際に、耳介用支持部材における弾性支片部を耳甲介側と対輪側とを仕切る側壁面に弾接させて、外力による脱落を防ぐことができる。
【００１６】
また、請求項３に係る発明によれば、耳介用支持部材における弾性支片部を耳甲介側と対輪側とを仕切る側壁面に弾接させることで、その脱落を防止しながらマイク付きイヤホンとして安定的に使用することができる。
【００１７】
さらに、請求項４に係る発明によれば、ハウジングの外耳道挿入部に取り付けて外耳道の内周面への弾性変形を伴った密接を自在に形成された外耳道密閉部材を備えているので、装着時にその弾性接触片部を外耳道の内周面を密閉するように弾性変形させながら接触させることができ、これにより外部音の遮断や内部音の外漏れを防止のほか、低音域の再現性を優れたものとすることができる。しかも、外耳道密閉部材がもたらすこのような効果は、耳介用支持部材における弾性支片部により得られる姿勢保持力によりハウジング側の位置に緩みを生じさせなことにより、より一層確実なものとすることができる。
【発明を実施するための最良の形態】
【００１８】
図１は、本発明における第２の発明の基本構造の分解図を、図２は、第２の発明を左側の耳介に適用させるべく形成した場合を例とする平面図を、図３は、図２とは逆向きの方向からみた状態での斜視図を、図４は、耳介側との関係での装着状態の説明図をそれぞれ示す。
【００１９】
図１によれば、第２の発明に係るイヤホン１１は、スピーカユニット１２を内蔵させたハウジング２２と、該ハウジング２２の外側に配置される第１の発明に係る耳介用支持部材３２と、該耳介用支持部材３２側に止着される装飾部材４２と少なくとも含んで、その全体が構成されている。
【００２０】
このうち、スピーカユニット１２は、例えば図示しない振動板と、該振動板を駆動する磁気回路とを含む必要部材をケーシング１３内に収納して形成されている。
【００２１】
また、ハウジング２２は、スピーカユニット１２を放音面が位置する前面側から覆ってこれに圧着される一側カバー部２３と、スピーカユニット１２を後面側から覆う他側カバー部２７とで構成され、これによりスピーカユニット１２が内蔵されることになる。しかも、ハウジング２２は、耳介６１の外耳道側に挿入して耳珠６２側と対珠６３側とでこれを保持させることができる適宜の形状が付与されて形成されている。
【００２２】
この場合、一側カバー部２３は、その前端面に円筒状の外耳道挿入部２４を備え、該外耳道挿入部２４を介してスピーカユニット１２により生成される音を鼓膜側へと導出することができるようになっている。
【００２３】
また、他側カバー部２７は、その前端部にスピーカユニット１２のケーシング１３の外周面に周設されている弾性リング１５を介して嵌着することができる内部空間２８を有しており、後端面には、装飾部材４２がその蓋部４３側から突出させた嵌着部４４を介して止着される嵌合穴部２９が形成されている。
【００２４】
一方、耳介用支持部材３２は、弾性変形が自在なエラストマーやシリコーンゴムなどの弾性素材を用いて形成されるものであり、ハウジング２２を構成している他側カバー２７側への取付けが自在に形成された取付け部３３と、該取付け部３３側から突設された耳介用支持部材３２とを備えて一体に形成されている。
【００２５】
このうち、取付け部３３は、その内部に他側カバー部２７を覆う収納空間３４を有しているほか、該収納空間３４と連通して装飾部材４２の嵌着部４４が挿着される通孔３６がその後端面３５に形成されている。
【００２６】
ハウジング２２への取付け部３３の取り付けは、その収納空間３４内に他側カバー２７側を押し入れて着脱自在に嵌合止着することで行ったり、他側カバー部２７の嵌合穴部２９内に装飾部材４２の嵌着部４４を嵌着させることで、取付け部３３ともども止着するなど、適宜の取付け構造のもとで取り付けることができる。
【００２７】
弾性支片部３８は、取付け部３３の外周面３７の一側と他側との双方の略接線方向へと支腕状に延設され、その頂端側を円曲させて一体に連続させた適宜太さのループ状となって形成されている。
【００２８】
図２は、図１に示す構成部材を組み立ててなるイヤホン１をその固定部材４２側から見た平面図であり、図４に示すように接続コード１８が引き出されるコード保持部１７を耳介６１の珠間切痕６４に案内させる位置関係のもとで外耳道側にハウジング２２を装着した際、耳介用支持部材３２における弾性支片部３８の頂端３８ａ側が対珠６３近傍に位置して耳甲介６５側と対輪６６側とを仕切る側壁面６７に弾接する配置関係のもとで組み立てられることになる。
【００２９】
また、イヤホン１１におけるハウジング２２がその一側カバー部２３に備える外耳道挿入部２４には、図３に示すように外耳道密閉部材５２が図１１の従来例と同様にして取り付けられており、装着時にその弾性接触片部５３を外耳道の内周面を密閉するように弾性変形させながら接触させることができるようになっている。
【００３０】
一方、図５は、図２に示す耳介支持部材３２における弾性支片部３８のループサイズを大・中・小の別に形成しておき、図６に示すように所望に応じてハウジング２２側に対しサイズ別に付け替えすることができるようにして形成した例を示す説明図である。
【００３１】
また、図５に示す例の耳介支持部材３２における取付け部３３には、その装着時に耳介６１の珠間切痕６４内に位置する配置関係のもとで、図７に示すようにスリット１７ａが刻入されて先細りとなった筒状を呈するコード保持部１７が一体に突設されている。
【００３２】
該コード保持部１７は、耳介支持部材３２をハウジング２２側に嵌着した際にスピーカーユニット１５側から引き出されている接続コード１８を外部へと導出するものである。具体的には、スリット１７ａをその圧接力に抗して拡開しコード保持部１７内へと接続コード１８を導き入れることで、図８に示す状態のもとで接続コード１８を外部へと導出することができることになる。
【００３３】
図９は、耳介支持部材３２の他例を示す説明図であり、そのうちの（ａ）は側面図を、（ｂ）は正面図をそれぞれ示す。同図によれば、耳介支持部材３２は、その取付け部３３側から支腕部３９が延設され、該支腕部３９の先端側にマイクロホン４０を付設することで形成されている。
【００３４】
したがって、図９に示す例によれば、図１０に示すように位耳介用支持部材３２における弾性支片部３８を耳甲介６５側と対輪６６側とを仕切る側壁面６７に弾接させた状態のもとでその脱落を防止しながら、装着者５９の口元６０側にマイクロホン４０を臨ませたマイク付きイヤホンとして使用することができることになる。
【００３５】
次に、上記構成からなる第２の発明に係るイヤホンの作用について第１の発明に係る耳介用支持部材の作用・効果とともに図示例に基づいて説明すれば、イヤホン１１を使用するに際しては、まず、ハウジング２２における外耳道挿入部２４を耳介６１の外耳道内に挿入する。
【００３６】
イヤホン１１を装着する際の耳介６１側との間の位置関係は、図４に示されているように接続コード１８が引き出されるコード保持部１７を耳介６１の珠間切痕６４に案内させるように位置させ、ハウジング２２側が耳珠６２側と対珠６３側との間で保持されるように位置させるとともに、耳介用支持部材３２における弾性支片部３８の頂端３８ａ側を対珠６３傍に位置して耳甲介６５側と対輪６６側とを仕切る側壁面６７に弾接させた配置関係となる。
【００３７】
このとき、弾性支片部３８は、当接する側壁面６７までの距離に応じてその形状を弾性変形させることができるので、ハウジング２２側が動かないように常にその装着姿勢を維持させてやることができる。
【００３８】
しかも、弾性支片部３８は、弾性変形後の復元力によりその頂端部３８ａを常に側壁面６７側へと弾接させることができるので、ハウジング２２に対しより確実な姿勢保持力を付与することができるので、ある程度の偶発的な外力が接続コード１８側に作用することがあっても、イヤホン１１の抜け落ちを阻止することができる。
【００３９】
また、弾性支片部３８は、弾性変形が自在であるが故に、耳介６１の形状に個人差があったとしても、これを吸収して常にその頂端部３８ａを側壁面６７側へと弾接させることができるので、個々人の耳サイズとの関係でのニーズに柔軟に対応させることができる。
【００４０】
しかも、図５に示すように弾性支片部３８のリングサイズを異にする耳介用支持部材３２を各別に用意しておく場合には、ハウジング２２に対し最適サイズの耳介用支持部材３２を嵌着することで、多様な耳介サイズに対しても柔軟に対応させることができる。
【００４１】
さらに、ハウジング２２がその一側カバー部２３に備える外耳道挿入部２４に外耳道密閉部材５２が取り付けられいる場合には、装着時にその弾性接触片部５３を外耳道の内周面を密閉するように弾性変形させながら接触させることができ、これにより外部音の遮断や内部音の外漏れを防止のほか、低音域の再現性を優れたものとすることができる。
【００４２】
外耳道密閉部材５２がもたらすこのような効果は、耳介用支持部材３２における弾性支片部３８により得られる姿勢保持力によりハウジング２２側の位置に緩みを生じさせなことにも通じ、緩み防止機能をより一層確実に高めてやることができる。
【００４３】
以上は、本発明を図示例に基づいて説明したものであり、その具体的な構成はこれに限定されるものではない。例えば、ハウジング２２は、外耳道挿入部２４を有しないものであってもよい。また、ハウジングは、図示例とは逆に耳介支持部材の外側に配置し、該耳介支持部材を介して外耳道挿入部をその内側まで延伸させるようにしてもよい。さらに、耳介用支持部材３２は、図示例のようなループ状の弾性支片部３８以外の種々の形状のものを所望に応じ適宜採用することができる。
【００４４】
このうち、弾性支片部がループ状を呈するものについては、図示例のように１個の囲繞空間域のみを画成するものほか、ループを分岐させて複数個の囲繞空間域を画成することができるようにしてもよい。この場合における囲繞空間域は、図示例のように縦方向（上下方向）に形成したり、横方向（前後方向）に形成したりすることができる。また、ループ状を呈する弾性支片部については、その外周面に凹凸を付けて耳介側との接点をより少なくして装着感を好ましいものとしたり、さらなるバネ性を付与するために蛇腹状に折曲させたり、パンタグラフのように拡開させたりするものであってもよい。
【００４５】
また、弾性支片部が非ループ状を呈するものについては、片持ち的な半ループ状に形成したり、取付け部側から片持ちな略ループ状に引き出した上でコード支持部側と一体に形成したり、ループ状の弾性支片部をその頂端側で２分し、それぞれの開放端部を相互に当接させるように分割形成したり、取付け部側から上方に向けて片持ちな略ループ形状に形成したりすることができる。さらに、取付け部を含む耳介用支持部材の全体を気泡を有する海綿のような軟質材やマシュマロのようなソフトなタッチの部材を用いて形成することもできる。
【００４６】
さらにまた、耳介用支持部材３２は、その取付け部３３が図示例と同じであっても、弾性支片部側を別部材により形成することもできる。例えば、素材としては、ステンレス鋼線やβ−チタン線やピアノ線などのようにバネ性に富むある程度軟質な金属線材を用いて弾性支片部を形成することもできる。この場合の弾性支片部側の具体的な形状は、図示例のようなループ状に形成したり、図示例にはない片持ち的な半ループ状に形成したり、片持ち的な渦巻きスプリング状に形成したりすることができる。また、その取付け構造についても、弾性支片部における弾接側を弓状に形成し、この弓状の部位を背後から弾性的（例えばバネ材やオイルダンパなど）に支持して取付け部３３に付設するものであってもよい。
【図面の簡単な説明】
【００４７】
【図１】本発明における第２の発明の基本構造を例示する分解斜視図。
【図２】図１に示す構成部材を組み立ててなるイヤホンをその固定部材側から見た状態として示す平面図。
【図３】図２とは逆向きの方向からみた状態で示す斜視図。
【図４】耳介側との関係での第２の発明に係るイヤホンの装着状態を示す説明図。
【図５】図２の耳介支持部材における弾性支片部のループサイズを異にした例を示す説明図。
【図６】図５に示す例を用いてのハウジングに対する付け替え状態を示す説明図。
【図７】耳介支持部材の詳細構造例を示す説明図。
【図８】図７に示す耳介支持部材を用いたイヤホ部分の全体斜視図。
【図９】耳介支持部材の他例を示す説明図であり、そのうちの（ａ）は側面図を、（ｂ）は正面図をそれぞれ示す。
【図１０】図９に示す耳介支持部材を備えるイヤホンの装着使用状態を示す説明図
【図１１】特許文献１に開示されている密閉型のイヤホンの外観形状を示す斜視図。
【符号の説明】
【００４８】
１１イヤホン
１２  スピーカユニット
１３  ケーシング
１４  外周面
１５  弾性リング
１７  コード保持部
１７ａ  スリット
１８  接続コード
２２  ハウジング
２３  一側カバー部
２４  外耳道挿入部
２７  他側カバー部
２８  内部空間
２９  嵌合穴
３２  耳介用支持部材
３３  取付け部
３４  収納空間
３５  後端面
３６  通孔
３７  外周面
３８  弾性支片部
３８ａ  頂端部
３９  支腕部
４０  マイクロホン
４２  装飾部材
４３  蓋部
４４  嵌着部
５２  外耳道密閉部材
５３  弾性接触片部
５９  装着者
６０  口元
６１  耳介
６２  耳珠
６３  対珠
６４  珠間切痕
６５  耳甲介
６６  対輪
６７  側壁面
【図１】
2006203420.tif 000003
【図２】
2006203420.tif 000004
【図３】
2006203420.tif 000005
【図４】
2006203420.tif 000006
【図５】
2006203420.tif 000007
【図６】
2006203420.tif 000008
【図７】
2006203420.tif 000009
【図８】
2006203420.tif 000010
【図９】
2006203420.tif 000011
【図１０】
2006203420.tif 000012
【図１１】
2006203420.tif 000013